(57)【要約】【課題】同一の符号化方式の映像情報および音声情報の双方またはいずれか一方を複数の符号化方式に同時にトランスコードする場合、１つのデコーダで構成するトランスコード装置を提供する。【解決手段】トランスコード元の符号化方式の情報例えばＡＶＣ−Ｉｎｔｒａ方式の映像情報を復号化するための１個のＡＶＣ−Ｉｎｔｒａデコーダ１２と、トランスコード先の符号化方式の情報に変換するための複数個のエンコーダとして例えばＭＰＥＧ−２エンコーダ１４とＨ．２６４エンコーダ２４との２個のエンコーダを備え、ＡＶＣ−Ｉｎｔｒａデコーダ１２にてデコードされた映像情報１３を２個のＭＰＥＧ−２エンコーダ１４とＨ．２６４エンコーダ２４とに分岐して入力することにより、ＡＶＣ−Ｉｎｔｒａ方式にて符号化された映像情報１１をＭＰＥＧ−２方式にて符号化された映像情報１５とＨ．２６４方式にて符号化された映像情報２５とに変換して出力する。【選択図】        図１
2015041790.tif 000002
【特許請求の範囲】
【請求項１】
或る符号化方式にて符号化された情報を符号化方式が異なる他の符号化方式の情報に変換するトランスコード装置において、トランスコード元の或る特定の符号化方式の情報を、トランスコード先として複数の符号化方式の情報に変換する場合、トランスコード単位として、前記トランスコード元の或る特定の符号化方式の情報を復号化するための１個のデコーダと、前記トランスコード先となる符号化方式の情報に変換するための複数個のエンコーダとを備え、前記デコーダにて復号化された情報を複数個の前記エンコーダそれぞれに分岐して入力するように構成することを特徴とするトランスコード装置。
【請求項２】
或る符号化方式にて符号化された情報を符号化方式が異なる他の符号化方式の情報に変換するトランスコード装置において、トランスコード先の或る特定の符号化方式の情報に変換するための、トランスコード元の情報として複数の符号化方式の情報が存在する場合、トランスコード単位として、前記トランスコード先の或る特定の符号化方式の情報に変換するための１個のエンコーダと、前記トランスコード元となる符号化方式の情報を復号化するための複数個のデコーダとを備え、複数個の前記デコーダそれぞれにて復号化された情報を前記エンコーダに入力するように構成することを特徴とするトランスコード装置。
【請求項３】
前記トランスコード元、前記トランスコード先となる情報が、映像情報、または、音声情報、または、映像情報および音声情報の双方の情報、のいずれかであることを特徴とする請求項１または２に記載のトランスコード装置。
【請求項４】
或る符号化方式にて符号化された情報を符号化方式が異なる他の符号化方式の情報に変換するトランスコード方法であって、トランスコード元の或る特定の符号化方式の情報を、トランスコード先として複数の符号化方式の情報に変換する場合、トランスコード単位として、前記トランスコード元の或る特定の符号化方式の情報を復号化するための１個のデコーダと、前記トランスコード先となる符号化方式の情報に変換するための複数個のエンコーダとを有し、前記デコーダにて復号化された情報を複数個の前記エンコーダそれぞれに分岐して入力することを特徴とするトランスコード方法。
【請求項５】
或る符号化方式にて符号化された情報を符号化方式が異なる他の符号化方式の情報に変換するトランスコード方法であって、トランスコード先の或る特定の符号化方式の情報に変換するための、トランスコード元の情報として複数の符号化方式の情報が存在する場合、トランスコード単位として、前記トランスコード先の或る特定の符号化方式の情報に変換するための１個のエンコーダと、前記トランスコード元となる符号化方式の情報を復号化するための複数個のデコーダとを有し、複数個の前記デコーダそれぞれにて復号化された情報を前記エンコーダに入力するように構成することを特徴とするトランスコード方法。
【請求項６】
前記トランスコード元、前記トランスコード先となる情報が、映像情報、または、音声情報、または、映像情報および音声情報の双方の情報、のいずれかであることを特徴とする請求項４または５に記載のトランスコード方法。
【発明の詳細な説明】
【技術分野】
【０００１】
本発明は、トランスコード装置およびトランスコード方法に関し、特に、映像情報や音声情報の符号化方式を変換するためのトランスコード装置およびトランスコード方法に関する。
【背景技術】
【０００２】
デジタル放送番組等の情報をＤＶＤ（Digital  Versatile  Disc）やＢＤ（Blu-ray（登録商標）  Disc）等の大容量光ディスク記録媒体などに録画するために種々の規格が制定されている。例えば、映像情報を録画するための規格として、ＩＴＵ−ＴおよびＩＳＯがＩＴＵ−Ｔ  Ｈ．２６２  |  ＩＳＯ／ＩＥＣ  １３８１８−２として規格化したＭＰＥＧ−２方式（ＭＰＥＧ：登録商標）、ＩＴＵ−Ｔ  Ｈ．２６４  |  ＩＳＯ／ＩＥＣ  １４４９６−１０として規格化したＨ．２６４方式や、これらの国際規格から派生した各映像機器メーカ固有の規格例えばパナソニック社のＡＶＣ−Ｉｎｔｒａ方式（ＡＶＣ−Ｉｎｔｒａ：登録商標）等がある。また、音声情報を録音するための規格として、ＡＡＣ（Advanced  Audio  Coding）方式やＡＣ３（Audio  Code  number  ３）方式、等がある。
【０００３】
このため、例えば特許文献１の特開２００４−３４３５９２号公報「トランスコード」にも記載されているように、互いに異なる符号化方式にて符号化されている映像情報を再生しようとする場合、相手側の映像機器にて録画された符号化方式の映像情報を自装置側の符号化方式の映像情報に変換して、自装置側で再生することが必要になる。かくのごとく、或る符号化方式の映像情報を異なる符号化方式の映像情報に変換することを「トランスコード」と称している。例えば、ＡＶＣ−Ｉｎｔｒａ方式の映像情報をＭＰＥＧ−２方式の映像情報に変換したり、Ｈ．２６４方式の映像情報に変換したりする場合が「トランスコード」に該当する。また、トランスコード機能を備えた機器のことをトランスコード装置と称している。
【０００４】
図３は、従来のトランスコード装置の概要を示す内部ブロック構成図である。図３に示す従来のトランスコード装置は、トランスコード元とトランスコード先との符号化方式ごとの組み合わせに応じた回路構成をトランスコード単位として構成するようにしている。すなわち、図３（Ａ）に示すように、ＡＶＣ−Ｉｎｔｒａ方式にて符号化された映像情報２１１をＭＰＥＧ−２方式にて符号化された映像情報２１５に変換するトランスコード（１）２１０と、図３（Ｂ）に示すように、ＡＶＣ−Ｉｎｔｒａ方式にて符号化された映像情報２２１をＨ．２６４方式にて符号化された映像情報２２５に変換するトランスコード（２）２２０と、からなっている場合を示している。
【０００５】
図３（Ａ）のトランスコード（１）２１０においては、入力されてくるＡＶＣ−Ｉｎｔｒａ方式にて符号化された映像情報２１１をＡＶＣ−Ｉｎｔｒａデコーダ２１２にて元の映像情報に一旦デコードした後、デコードされた映像情報２１３をＭＰＥＧ−２エンコーダ２１４によりＭＰＥＧ−２方式にて符号化された映像情報２１５に変換して出力する。また、図３（Ｂ）のトランスコード（２）２２０においては、入力されてくるＡＶＣ−Ｉｎｔｒａ方式にて符号化された映像情報２２１をＡＶＣ−Ｉｎｔｒａデコーダ２２２にて元の映像情報に一旦デコードした後、デコードされた映像情報２２３をＨ．２６４エンコーダ２２４によりＨ．２６４方式にて符号化された映像情報２２５に変換して出力する。
【０００６】
かくのごとく、従来のトランスコード装置は、トランスコード元の情報として入力する符号化方式の映像情報を元の映像情報に復号化するデコーダと、デコードされた映像情報をトランスコード先の情報として異なる符号化方式の映像情報に変換するエンコーダとを、それぞれの符号化方式の組み合わせに応じたトランスコード単位として、別々に備えて構成するようにしている。
【先行技術文献】
【特許文献】
【０００７】
【特許文献１】特開２００４−３４３５９２号公報（第２−５頁）
【発明の開示】
【発明が解決しようとする課題】
【０００８】
しかしながら、従来のトランスコード装置の場合、複数の異なる符号化方式の映像情報に変換するような複数のトランスコード動作を同時に行おうとする場合、入力される符号化映像情報が共通の場合であっても、同一のデコード機能（すなわち、同一符号化方式により符号化された映像情報を元の映像情報に復号化する機能）を有するデコーダを、トランスコード先の符号化方式の個数に応じて複数少なくとも使用しており、コストが上昇するとともに、処理に無駄が生じていた。例えば、Ｎ個（Ｎ：２以上の正整数）の符号化方式のトランスコードを同時に実現しようとする場合には、或る１個の符号化方式の映像情報の入力について、Ｎ個のデコーダが必要になってしまう。
【０００９】
例えば、図３のトランスコード装置の場合、同一の符号化方式のＡＶＣ−Ｉｎｔｒａ方式にて符号化された映像情報を入力する場合であっても、トランスコード先の符号化方式如何に応じて、ＭＰＥＧ−２方式の映像情報にトランスコードする図３（Ａ）のトランスコード（１）２１０とＨ．２６４方式の映像情報にトランスコードする図３（Ｂ）のトランスコード（２）２２０との２つのトランスコード機器を用い、トランスコード（１）２１０にてＭＰＥＧ−２エンコーダ２１４によってＭＰＥＧ−２方式の映像情報にトランスコードするために用いる図３（Ａ）のＡＶＣ−Ｉｎｔｒａデコーダ２１２と、トランスコード（２）２２０にてＨ．２６４エンコーダ２２４によってＨ．２６４方式の映像情報にトランスコードするために用いる図３（Ｂ）のＡＶＣ−Ｉｎｔｒａデコーダ２２２との２個のデコーダが必要になる。
【００１０】
なお、かくのごときトランスコード装置は、映像情報の場合のみに限るものではなく、音声情報に関するトランスコードを行う場合や、あるいは、映像情報および音声情報の双方のトランスコードを行う場合についても、全く同様である。
【００１１】
（本発明の目的）
本発明は、かかる事情に鑑みてなされたものであり、同一の符号化方式の映像情報および音声情報の双方またはいずれか一方を複数の符号化方式に同時にトランスコードする場合、複数のデコーダを用いることなく、１つのデコーダのみにより構成するトランスコード装置およびトランスコード方法を提供することを、その目的としている。
【課題を解決するための手段】
【００１２】
前述の課題を解決するため、本発明によるトランスコード装置およびトランスコード方法は、主に、次のような特徴的な構成を採用している。
【００１３】
（１）本発明によるトランスコード装置は、或る符号化方式にて符号化された情報を符号化方式が異なる他の符号化方式の情報に変換するトランスコード装置において、トランスコード元の或る特定の符号化方式の情報を、トランスコード先として複数の符号化方式の情報に変換する場合、トランスコード単位として、前記トランスコード元の或る特定の符号化方式の情報を復号化するための１個のデコーダと、前記トランスコード先となる符号化方式の情報に変換するための複数個のエンコーダとを備え、前記デコーダにて復号化された情報を複数個の前記エンコーダそれぞれに分岐して入力するように構成することを特徴とする。
【００１４】
（２）本発明によるトランスコード装置は、或る符号化方式にて符号化された情報を符号化方式が異なる他の符号化方式の情報に変換するトランスコード装置において、トランスコード先の或る特定の符号化方式の情報に変換するための、トランスコード元の情報として複数の符号化方式の情報が存在する場合、トランスコード単位として、前記トランスコード先の或る特定の符号化方式の情報に変換するための１個のエンコーダと、前記トランスコード元となる符号化方式の情報を復号化するための複数個のデコーダとを備え、複数個の前記デコーダそれぞれにて復号化された情報を前記エンコーダに入力するように構成することを特徴とする。
【００１５】
（３）本発明によるトランスコード方法は、或る符号化方式にて符号化された情報を符号化方式が異なる他の符号化方式の情報に変換するトランスコード方法であって、トランスコード元の或る特定の符号化方式の情報を、トランスコード先として複数の符号化方式の情報に変換する場合、トランスコード単位として、前記トランスコード元の或る特定の符号化方式の情報を復号化するための１個のデコーダと、前記トランスコード先となる符号化方式の情報に変換するための複数個のエンコーダとを有し、前記デコーダにて復号化された情報を複数個の前記エンコーダそれぞれに分岐して入力することを特徴とする。
【００１６】
（４）本発明によるトランスコード方法は、或る符号化方式にて符号化された情報を符号化方式が異なる他の符号化方式の情報に変換するトランスコード方法であって、トランスコード先の或る特定の符号化方式の情報に変換するための、トランスコード元の情報として複数の符号化方式の情報が存在する場合、トランスコード単位として、前記トランスコード先の或る特定の符号化方式の情報に変換するための１個のエンコーダと、前記トランスコード元となる符号化方式の情報を復号化するための複数個のデコーダとを有し、複数個の前記デコーダそれぞれにて復号化された情報を前記エンコーダに入力するように構成することを特徴とする。
【発明の効果】
【００１７】
本発明のトランスコード装置およびトランスコード方法によれば、以下のような効果を奏することができる。
【００１８】
すなわち、同一の符号化方式の情報を１ないし複数の符号化方式の情報にトランスコードする場合には、トランスコード単位として、トランスコード先の符号化方式の個数の如何に関わらず、１個のデコーダのみを備えた構成を採用することができ、従来のトランスコード装置のように複数のデコーダを用意する必要がなく、経済的な構成とすることができるのみならず、さらには、処理量の削減、処理の高速化、消費電力の低減を図ることもできる。
【図面の簡単な説明】
【００１９】
【図１】本発明によるトランスコード装置の内部構成の一例を示す内部ブロック構成図である。
【図２】本発明によるトランスコード装置の内部構成の図１とは異なる他の例を示す内部ブロック構成図である。
【図３】従来のトランスコード装置の概要を示す内部ブロック構成図である。
【発明を実施するための形態】
【００２０】
以下、本発明によるトランスコード装置およびトランスコード方法の好適な実施形態について添付図を参照して説明する。
【００２１】
（本発明の特徴）
本発明の実施形態の説明に先立って、本発明の特徴についてその概要をまず説明する。本発明は、複数の符号化方式のトランスコードを同時に行う場合に、トランスコードのために入力される符号化済み情報（映像情報または音声情報もしくは映像情報および音声情報）が共通の場合には、１つのデコーダにより元の情報に復号化した後、復号化された元の情報を複数のエンコーダ（トランスコード先のそれぞれの符号化方式の情報に符号化するためのエンコーダ）にそれぞれ分配して入力する構成とすることにより、デコーダの個数を削減することを主要な特徴としている。
【００２２】
すなわち、本発明は、同一の符号化方式の情報を元の情報に復号化するためのデコーダは１つのみとし、当該デコーダの出力データを分配して、トランスコード先となる符号化方式それぞれへの符号化を行う複数のエンコーダそれぞれへ入力する構成としている。したがって、トランスコード先としてＮ個（Ｎ：２以上の正整数）の符号化方式へのトランスコードを同時に実現しようとする場合には、或る１個の符号化方式の映像情報の入力については１個のデコーダのみ用意すれば十分である。この結果、Ｎ個のデコーダが必要になる従来のトランスコード装置の場合に比し、デコーダの個数を大幅に削減することができ、経済的なトランスコード装置を構成することができる。
【００２３】
（本発明の実施形態の構成例）
次に、本発明によるトランスコード装置の構成例について、図１を参照して詳細に説明する。図１は、本発明によるトランスコード装置の内部構成の一例を示すブロック構成図であり、ＡＶＣ−Ｉｎｔｒａ方式にて符号化された映像情報を、ＭＰＥＧ−２方式にて符号化された映像情報とＨ．２６４方式にて符号化された映像情報とに同時にトランスコードする場合を例にして示している。
【００２４】
図１に示すトランスコード装置１０においては、入力されてくるＡＶＣ−Ｉｎｔｒａ方式にて符号化された映像情報１１をＡＶＣ−Ｉｎｔｒａデコーダ１２にて元の映像情報に一旦デコードした後、２つに分岐させて、一方のデコードされた映像情報１３をＭＰＥＧ−２エンコーダ１４に分配し、他方のデコードされた映像情報１３をＨ．２６４エンコーダ２４に分配する。
【００２５】
ＭＰＥＧ−２エンコーダ１４は、分配されてきた一方のデコードされた映像情報１３をＭＰＥＧ−２方式にて符号化された映像情報１５に変換して出力する。また、Ｈ．２６４エンコーダ２４は、分配されてきた他方のデコードされた映像情報１３をＨ．２６４方式にて符号化された映像情報２５に変換して出力する。
【００２６】
かくのごとき構成により、入力される映像情報の符号化方式例えばＡＶＣ−Ｉｎｔｒａ方式が同一であった場合には、たとえ、複数のトランスコード先の符号化方式に変換する場合であっても、元の映像情報に復号化するためのデコーダ、例えばＡＶＣ−Ｉｎｔｒａデコーダ１２を１個のみ備えているだけで十分である。そして、該デコーダ、例えばＡＶＣ−Ｉｎｔｒａデコーダ１２、から出力される映像情報を、トランスコード先の符号化方式の個数に該当する個数、例えばＭＰＥＧ−２方式とＨ．２６４方式との符号化方式に該当する個数の２個に分岐させて、それぞれのトランスコード先の符号化方式に符号化するためのエンコーダ、例えばＭＰＥＧ−２エンコーダ１４とＨ．２６４エンコーダ２４、とに分配して供給するように構成すれば良い。
【００２７】
この結果、トランスコード元の特定の符号化方式の情報について、Ｎ個（Ｎ：２以上の正整数）の符号化方式の情報に同時にトランスコードを行うような場合であっても、必要とするデコーダの個数は、１個のみであり、従来のトランスコード装置の場合のＮ個から大幅に削減することができる。例えば、図１のようなトランスコード装置１０においては、図３に示した従来のトランスコード装置に比して、デコーダの個数を２個から１個に削減することができる。
【００２８】
以上に説明した構成は、１つのトランスコード単位として用意されるトランスコード装置であって、トランスコード元の或る特定の符号化方式の情報を、トランスコード先として複数の符号化方式の情報に変換して出力する場合であった。すなわち、入力されてくる映像情報の符号化方式ごとに、該符号化方式を復号化するためのデコーダを１個備え、該デコーダによってデコードされた映像情報を、トランスコード先それぞれの符号化方式の映像情報に符号化するための複数のエンコーダに分配して供給する構成のトランスコード装置について説明した。図１のトランスコード装置１０の例では、ＡＶＣ−Ｉｎｔｒａデコーダ１２を１個備え、このＡＶＣ−Ｉｎｔｒａデコーダ１２によってデコードされた映像情報を、ＭＰＥＧ−２エンコーダ１４とＨ．２６４エンコーダ２４とに分配して供給する。
【００２９】
但し、本発明の構成は、以上に説明したものに限らない。場合によっては、１つのトランスコード単位として用意されるトランスコード装置において、トランスコード先の或る特定の符号化方式の情報に変換するための、トランスコード元の情報として複数の符号化方式の情報が存在する場合にも対応できる構成とするようにしても良い。つまり、１つのトランスコード装置ごとに、デコーダとエンコードとの設置個数を図１の場合とは逆にして、複数のデコーダと１個のエンコーダとによって構成するようにしても良い。すなわち、図２に示すように、トランスコード元になる複数の符号化方式の映像情報それぞれを元の映像情報に復号化するための複数のデコーダと、それぞれのデコーダでデコードされた映像情報を入力し、入力した複数の映像情報のうちのいずれかを選択し、或る１つのトランスコード先の符号化方式の映像情報に符号化するための１個のエンコーダとによって構成するようにしても良い。
【００３０】
図２は、本発明によるトランスコード装置の内部構成の図１とは異なる他の例を示す内部ブロック構成図である。図２のトランスコード装置は、トランスコード元になる符号化方式として、ＡＶＣ−Ｉｎｔｒａ方式の映像情報とＭＰＥＧ−２方式の映像情報との２つの映像情報を入力として、２つのうちいずれかの映像情報をＨ．２６４方式の映像情報に変換して出力する構成の例を示している。
【００３１】
図２に示すトランスコード装置１１０においては、入力されてくるＡＶＣ−Ｉｎｔｒａ方式にて符号化された映像情報１１１をＡＶＣ−Ｉｎｔｒａデコーダ１１３にて元の映像情報に一旦デコードし、また、入力されてくるＭＰＥＧ−２方式にて符号化された映像情報１１２をＭＰＥＧ−２デコーダ１１４にて元の映像情報に一旦デコードした後、ＡＶＣ−Ｉｎｔｒａデコーダ１１３にてデコードされた映像情報１１５およびＭＰＥＧ−２デコーダ１１４にてデコードされた映像情報１１６の２つの映像情報をＨ．２６４エンコーダ１１７に供給する。
【００３２】
Ｈ．２６４エンコーダ１１７は、ＡＶＣ−Ｉｎｔｒａデコーダ１１３にてデコードされた映像情報１１５と、ＭＰＥＧ−２デコーダ１１４にてデコードされた映像情報１１６とのうち、トランスコード元の映像情報として外部から任意に指定されたいずれか一方の映像情報を選択して、Ｈ．２６４方式にて符号化された映像情報１１８に変換してトランスコード先の映像情報として出力する。
【００３３】
かくのごとき構成により、トランスコード先となる映像情報の符号化方式、例えばＨ．２６４方式、が同一であった場合には、たとえ、トランスコード元として変換の対象となる複数の符号化方式が存在するような場合であっても、トランスコード先の映像情報に符号化するためのエンコーダ、例えばＨ．２６４エンコーダ１１７、を１個だけ備えれば足りる。そして、トランスコード元の符号化方式の映像情報をデコードするための各デコーダ、例えばＡＶＣ−Ｉｎｔｒａデコーダ１１３およびＭＰＥＧ−２デコーダ１１４、それぞれから出力される情報を、必要とする特定のトランスコード先の符号化方式に変換するエンコーダ、例えばＨ．２６４エンコーダ１１７、に供給するように構成すれば良い。
【００３４】
また、前述の説明においては、トランスコードの対象となる情報を、ＡＶＣ−Ｉｎｔｒａ方式、ＭＰＥＧ−２方式、Ｈ．２６４方式にて符号化された映像情報の場合を例にして説明したが、本発明は、かかる場合のみに限るものでないことは言うまでもない。例えば、前述のＡＶＣ−Ｉｎｔｒａ方式、ＭＰＥＧ−２方式、Ｈ．２６４方式にて符号化された映像情報以外の符号化方式にて符号化された映像情報であっても全く同様に扱うことができる。また、映像情報のみではなく、音声情報を含む映像情報であっても、映像情報だけであるときと同様にトランスコードできるし、さらには、映像情報がなく音声情報のみの情報であっても差し支えない。
【００３５】
（実施形態の効果の説明）
以上に詳細に説明したように、本実施形態においては、同一の符号化方式の情報を１ないし複数の符号化方式の情報にトランスコードする場合には、トランスコード単位として、トランスコード先の符号化方式の個数の如何に拘わらず、１個のデコーダのみを備えた構成を採用することができ、従来のトランスコード装置のように複数のデコーダを用意する必要がなく、経済的な構成とすることができるのみならず、さらには、処理量削減、処理高速化、消費電力低減を図ることもできる。さらには、複数の符号化方式の情報のいずれかを選択して同一の符号化方式の情報にトランスコードする場合についても、トランスコード単位として、1個のエンコーダのみを備えた構成を採用することも可能である。
【００３６】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００３７】
１０        トランスコード装置
１１        ＡＶＣ−Ｉｎｔｒａ方式にて符号化された映像情報
１２        ＡＶＣ−Ｉｎｔｒａデコーダ
１３        デコードされた映像情報
１４        ＭＰＥＧ−２エンコーダ
１５        ＭＰＥＧ−２方式にて符号化された映像情報
２４        Ｈ．２６４エンコーダ
２５        Ｈ．２６４方式にて符号化された映像情報
１１０      トランスコード装置
１１１      ＡＶＣ−Ｉｎｔｒａ方式にて符号化された映像情報
１１３      ＡＶＣ−Ｉｎｔｒａデコーダ
１１２      ＭＰＥＧ−２方式にて符号化された映像情報
１１４      ＭＰＥＧ−２デコーダ
１１５      デコードされた映像情報
１１６      デコードされた映像情報
１１７      Ｈ．２６４エンコーダ
１１８      Ｈ．２６４方式にて符号化された映像情報
２１０      トランスコード（１）
２１１      ＡＶＣ−Ｉｎｔｒａ方式にて符号化された映像情報
２１２      ＡＶＣ−Ｉｎｔｒａデコーダ
２１３      デコードされた映像情報
２１４      ＭＰＥＧ−２エンコーダ
２１５      ＭＰＥＧ−２方式にて符号化された映像情報
２２０      トランスコード（２）
２２１      ＡＶＣ−Ｉｎｔｒａ方式にて符号化された映像情報
２２２      ＡＶＣ−Ｉｎｔｒａデコーダ
２２３      デコードされた映像情報
２２４      Ｈ．２６４エンコーダ
２２５      Ｈ．２６４方式にて符号化された映像情報
【図１】
2015041790.tif 000003
【図２】
2015041790.tif 000004
【図３】
2015041790.tif 000005